(57)【要約】【課題】地板などのムーブメントのベース部品を、一般的なアナログ時計と太陽電池式アナログ時計の間で共通化することができる電子時計および二次電池ユニットを提供する。【解決手段】外装ケース８０と、時刻を表示する時刻表示部と、外装ケース内に収納されるソーラーパネル８７と、時刻表示部を動作させる表示制御部３６と、地板３１に設けられた電池収納部８６と、表示制御部３６のプラス電源端子３６ｐに接続され、電池収納部８６に収納される電池のプラス端子と接触自在に設けられたプラス側接触端子３８ａと、表示制御部３６のマイナス電源端子３６ｎに接続され、電池収納部８６に収納される電池のマイナス端子と接触自在に設けられたマイナス側接触端子４１と、電池収納部８６に収納される電池本体とは非接触な位置に設けられた接触部８８と備える。【選択図】図４
2015206805.tif 000002
【特許請求の範囲】
【請求項１】
外装ケースと、
前記外装ケースの内側で時刻を表示する時刻表示部と、
前記外装ケースに収納され、一方の電源端子と他方の電源端子とを有するソーラーパネルと、
前記一方の電源端子と電気的に接続された接触部と、
前記時刻表示部を動作させる表示制御部と、
地板に設けられ、二次電池を備えた二次電池ユニットと一次電池とを電池として交換自在に収納可能な電池収納部とを備え、
前記電池収納部は、
前記表示制御部のプラス電源端子に電気的に接続され、前記電池収納部に収納される前記電池のプラス端子と接触自在に設けられたプラス側接触端子と、
前記表示制御部のマイナス電源端子に電気的に接続され、前記電池収納部に収納される前記電池のマイナス端子と接触自在に設けられたマイナス側接触端子とを備え、
前記ソーラーパネルの前記他方の電源端子は前記プラス側接触端子と電気的に接続され、
前記接触部は、前記一次電池を前記電池収納部に収納した状態では、前記一次電池と非接触となり、前記二次電池ユニットを前記電池収納部に収納した状態では、前記二次電池ユニットの充電制御部と接触する位置に設けられた、
ことを特徴とする電子時計。
【請求項２】
前記二次電池ユニットにおいて、前記電池のプラス端子は前記二次電池のプラス電極であり、前記充電制御部は、前記接触部と接触可能であって導電性の弾性部材と、前記弾性部材と前記二次電池のマイナス電極との間に設けられ、前記二次電池の充電を所定の条件の下に制限する制限回路とを有し、
前記地板に設けられ、前記弾性部材を前記接触部に案内する案内部を備えたことを特徴とする請求項１に記載の電子時計。
【請求項３】
前記電池を前記地板に付勢し、前記表示制御部のマイナス電源端子に電気的に接続される導電性の板ばねを備え、
前記マイナス側接触端子は、前記板ばねに設けられた接触端子である、
ことを特徴する請求項１又は２に記載の電子時計。
【請求項４】
前記ソーラーパネルの最大出力電圧は、前記二次電池の耐圧を超えないように設定されていることを特徴する請求項１乃至３のうちいずれか１項に記載の電子時計。
【請求項５】
外装ケースと、前記外装ケースの内側で時刻を表示する時刻表示部と、前記外装ケースに収納され、一方の電源端子と他方の電源端子とを有するソーラーパネルと、前記一方の電源端子と電気的に接続された接触部と、前記時刻表示部を動作させる表示制御部と、地板に設けられた電池収納部と、前記電池収納部に設けられ、前記表示制御部のプラス電源端子に電気的に接続されるプラス側接触端子と、前記電池収納部に設けられ、前記表示制御部のマイナス電源端子に電気的に接続されるマイナス側接触端子とを備える電子時計の前記電池収納部に収納可能な二次電池ユニットであって、
前記マイナス側接触端子と接触するマイナス端子と、
プラス電極が前記プラス側接触端子と接触し、マイナス電極が前記マイナス端子と電気的に接続された二次電池と、
前記接触部と接触可能であって導電性の弾性部材と、
前記弾性部材と前記二次電池のマイナス電極との間に設けられ、前記二次電池の充電を所定の条件の下に制限する制限回路と、
を備えたことを特徴とする二次電池ユニット。
【請求項６】
前記制限回路は、アノードが前記二次電池のマイナス電極と電気的に接続され、カソードが前記弾性部材と電気的に接続されたダイオードであることを特徴とする請求項５に記載の二次電池ユニット。
【請求項７】
前記二次電池の耐圧と前記ダイオードの降下電圧との和が、前記ソーラーパネルの最大出力電圧よりも大きいことを特徴とする請求項６に記載の二次電池ユニット。
【請求項８】
前記弾性部材はコイルばねであることを特徴とする請求項５乃至７のうちいずれか１項に記載の二次電池ユニット。
【発明の詳細な説明】
【技術分野】
【０００１】
本発明は、電子時計および二次電池ユニットに関する。
【背景技術】
【０００２】
太陽電池を搭載した時計は、ベースとなる一般的なアナログ時計に太陽電池を搭載し、電源回路を充電機能に対応したものに変更し、電池を一次電池から二次電池に変更することで、太陽電池式アナログ時計を実現している（例えば特許文献１）。
【先行技術文献】
【特許文献】
【０００３】
【特許文献１】特開平５−１５００５５号公報
【発明の概要】
【発明が解決しようとする課題】
【０００４】
しかしながら、上述のような構造を採る場合、太陽電池の電極と回路ブロックを導通させるため、地板などのムーブメントのベース部品を、一般的なアナログ時計と太陽電池式アナログ時計の間で完全に共通化することができなかった。
つまり、太陽電池の電極と回路ブロックとの導通を図る構成にした場合、電池として一次電池を装着すると、一次電池に太陽電池からの充電電流が流れてしまい、一次電池を破壊してしまうことがある。そのため、従来の太陽電池式アナログ時計においては、誤って一次電池が装着された場合には、太陽電池および回路ブロックと一次電池とを導通させないように構成するのが一般的であった。
【０００５】
本発明は、上述した事情に鑑みてなされたものであり、地板などのムーブメントのベース部品を、一般的なアナログ時計と太陽電池式アナログ時計の間で共通化することができる電子時計および二次電池ユニットを提供することを解決課題としている。
【課題を解決するための手段】
【０００６】
以上の課題を解決するため、本発明に係る電子時計は、外装ケースと、前記外装ケースの内側で時刻を表示する時刻表示部と、前記外装ケースに収納され、一方の電源端子と他方の電源端子とを有するソーラーパネルと、前記一方の電源端子と電気的に接続された接触部と、前記時刻表示部を動作させる表示制御部と、地板に設けられ、二次電池を備えた二次電池ユニットと一次電池とを電池として交換自在に収納可能な電池収納部とを備え、前記電池収納部は、前記表示制御部のプラス電源端子に電気的に接続され、前記電池収納部に収納される前記電池のプラス端子と接触自在に設けられたプラス側接触端子と、前記表示制御部のマイナス電源端子に電気的に接続され、前記電池収納部に収納される前記電池のマイナス端子と接触自在に設けられたマイナス側接触端子とを備え、  前記ソーラーパネルの前記他方の電源端子は前記プラス側接触端子と電気的に接続され、  前記接触部は、前記一次電池を前記電池収納部に収納した状態では、前記一次電池と非接触となり、前記二次電池ユニットを前記電池収納部に収納した状態では、前記二次電池ユニットの充電制御部と接触する位置に設けられた、ことを特徴とする。
【０００７】
この電子時計では、電池収納部に二次電池ユニットを収納すると、二次電池ユニットのプラス端子と表示制御部のプラス電源端子とが導通する。また、二次電池ユニットのマイナス端子と表示制御部のマイナス電源端子とが導通する。さらに、前記二次電池ユニットの充電制御部と接触部とが接触する。
一方、電池収納部に一次電池を収納すると、一次電池のプラス端子と表示制御部のプラス電源端子とが導通する。また、一次電池のマイナス端子と表示制御部のマイナス電源端子とが導通する。しかし、接触部は、一次電池を収納しても非接触となる位置に配置されるので、ソーラーパネルと一次電池とが電気的に分離される。
以上より、本発明によれば、地板などのムーブメントのベース部品を、一般的な一次電池式電子時計とソーラーパネル式電子時計の間で共通化することができ大幅なコストダウンが実現される。また、汎用性の高い地板などのムーブメントのベース部品となり、生産効率が向上する。
【０００８】
なお、「時刻表示部」としては時計の文字板が含まれ、この文字板上における時刻表示として、指針による表示や、液晶等のデジタル表示が含まれる。この指針としては、時針や分針、秒針が挙げられる。
【０００９】
前記二次電池ユニットにおいて、前記電池のプラス端子は前記二次電池のプラス電極であり、前記充電制御部は、前記接触部と接触可能であって導電性の弾性部材と、前記弾性部材と前記二次電池のマイナス電極との間に設けられ、前記二次電池の充電を所定の条件の下に制限する制限回路とを有する場合、前記地板に設けられ、前記弾性部材を前記接触部に案内する案内部を備えることが好ましい。この場合には、案内部によって弾性体が接触部に案内されるので、二次電池ユニットの誤装着が防止される。
【００１０】
また、上述した電子時計において、前記電池を前記地板に付勢し、前記表示制御部のマイナス電源端子に電気的に接続される導電性の板ばねを備え、前記マイナス側接触端子は、前記板ばねに設けられた接触端子であることが好ましい。板ばねを用いることにより、厚さの異なる二次電池ユニットや一次電池のどちらを収納した場合でも、良好な接触が図られる。
【００１１】
また、上述した電子時計において、前記ソーラーパネルの最大出力電圧は、前記二次電池の耐圧を超えないように設定されていることが好ましい。これにより、二次電池の故障を防止できる。
【００１２】
次に、本発明に係る二次電池ユニットは、外装ケースと、前記外装ケースの内側で時刻を表示する時刻表示部と、前記外装ケースに収納され、一方の電源端子と他方の電源端子とを有するソーラーパネルと、前記一方の電源端子と電気的に接続された接触部と、前記時刻表示部を動作させる表示制御部と、地板に設けられた電池収納部と、前記電池収納部に設けられ、前記表示制御部のプラス電源端子に電気的に接続されるプラス側接触端子と、前記電池収納部に設けられ、前記表示制御部のマイナス電源端子に電気的に接続されるマイナス側接触端子とを備える電子時計の前記電池収納部に収納可能なものであって、前記マイナス側接触端子と接触するマイナス端子と、プラス電極が前記プラス側接触端子と接触し、マイナス電極が前記マイナス端子と電気的に接続された二次電池と、前記接触部と接触可能であって導電性の弾性部材と、前記弾性部材と前記二次電池のマイナス電極との間に設けられ、前記二次電池の充電を所定の条件の下に制限する制限回路と、を備えたことを特徴とする。
この発明によれば、二次電池ユニットに制限回路と弾性部材とを取り込んであるので、ソーラーパネルと電気的に接続される接触部と弾性部材とを接触させて、ソーラーパネルで発電された電力を二次電池に蓄電することができる。
【００１３】
また、上述した二次電池ユニットにおいて、前記制限回路は、アノードが前記二次電池のマイナス電極と電気的に接続され、カソードが前記弾性部材と電気的に接続されたダイオードであることが好ましい。この場合には、電流が逆流して二次電池が破壊されることを防止できる。
【００１４】
また、上述した二次電池ユニットにおいて、前記二次電池の耐圧と前記ダイオードの降下電圧との和が、前記ソーラーパネルの最大出力電圧よりも大きいことが好ましい。この場合には、ソーラーパネルの発電電圧によって二次電池が故障することを防止できる。
さらに、上述した二次電池ユニットにおいて、前記弾性部材はコイルばねであることが好ましい。この場合には、コイルばねの弾性力によって良好に接触させることができる。
【図面の簡単な説明】
【００１５】
【図１】本発明の一実施形態に係る電子時計１００の平面図である。
【図２】電子時計１００の一部断面図である。
【図３】電子時計１００の回路構成を示すブロック図である。
【図４】電子時計１００の電池収納部８６の周辺の一部断面図である。
【図５】電池収納部８６に二次電池ユニット２７が収納された状態を示す一部断面図である。
【図６】電子時計１００の二次電池ユニット２７の収納状態を示す斜視図である。
【図７】電池収納部８６に二次電池ユニット２７が収納された状態の回路図である。
【図８】電池収納部８６に一次電池５０が収納された状態を示す一部断面図である。
【図９】電池収納部８６に二次電池ユニット２７が収納された状態の回路図である。
【図１０】一次電池式電子時計２００の平面図である。
【発明を実施するための形態】
【００１６】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１７】
図１は、本発明の一実施形態に係るソーラー電子時計１００（以下「電子時計１００」という）の平面図である。図１に示すように、電子時計１００は、外装ケース８０を備えている。この外装ケース８０の内周側に、環状のダイヤルリング８３を介して、円盤状の文字板１１が時刻表示部として配置され、この文字板１１上には、時刻や日付等を表示する指針１３（１３ａ〜ｃ）が配置されている。そして、外装ケース８０の表面側の開口は、カバーガラス８４で塞がれており、カバーガラス８４通じて、内部の文字板１１、指針１３（１３ａ〜ｃ）及び液晶表示パネル１４が視認可能となっている。なお、文字板１１は非導電性材料で構成できる。
【００１８】
ダイヤルリング８３は、外周側が、外装ケース８０の内周面に接触する水平な環状部分となっているととともに、さらにその内周側が内方へ傾斜したすり鉢状部分となっている。
また、電子時計１００は、図１に示す竜頭１６や操作ボタン１７及び１８を手動操作することにより、内部時刻情報の修正などができるようになっている。
【００１９】
図２は電子時計１００の内部構造を示す一部断面図である。図２に示すように、電子時計１００は、外装ケース８０の内周に沿って、環状のダイヤルリング８３が取り付けられている。外装ケース８０の二つの開口のうち、表面側の開口は、カバーガラス８４で塞がれており、裏面側の開口は金属で形成された裏蓋８５で塞がれている。金属製の裏蓋８５と金属製の外装ケース８０とは、スクリュー溝で固定されている。
【００２０】
また電子時計１００は、地板３１に、リチウムイオン電池などの二次電池を含む二次電池ユニット２７や一次電池を収納することが可能である。なお、図２は、二次電池ユニット２７を収納した例を示している。
二次電池ユニット２７は、後述のソーラーパネル８７が発電した電力で充電される。すなわち、ソーラー充電が行われる。二次電池ユニット２７は、後述するように逆流防止ダイオード２８と導通ばね２５（コイルばね）を備える（図４参照）。導通ばね２５によりソーラーパネル８７と二次電池ユニット２７とが電気的に接続される。逆流防止ダイオード２８と導通ばね２５とは、二次電池への充電を制御する充電制御部として機能する。なお、導通ばね２５は導電性の弾性部材の一例である。
【００２１】
電子時計１００は、外装ケース８０の内側に、光透過性の文字板１１と、文字板１１を貫通した指針軸１２と、指針軸１２を中心に周回して現在時刻を指し示す複数の指針１３（秒針１３ａ、分針１３ｂ及び時針１３ｃ）と、指針軸１２を回転させて複数の指針１３を駆動する駆動機構３０とを備える。指針軸１２は、外装ケース８０の中心軸に沿って表裏方向に延在している。
【００２２】
文字板１１は、外装ケース８０の内側で時刻を表示する時刻表示部を構成する円形の板材であり、プラスチックなどの光透過性の材料で形成され、カバーガラス８４との間に指針１３（１３ａ〜ｃ）を挟み、ダイヤルリング８３の内側に配置されている。文字板１１の中央部には、指針軸１２が貫通する穴が形成されている。
【００２３】
駆動機構３０は、地板３１に取り付けられ、ステップモーターと歯車などの輪列とを有し、当該ステップモーターが当該輪列を介して指針１３を回転させることにより、複数の指針１３を駆動する。具体的には、時針１３ｃは１２時間、分針１３ｂは６０分、秒針１３ａは６０秒で一周する。また、駆動機構３０が取り付けられた地板３１は、指針１３との間に文字板１１を挟むように配置されている。
【００２４】
駆動機構３０の駆動は、回路基板３５上に設けられた表示制御部３６によって制御されている。表示制御部３６のプラス電位は、回路基板３５の下部に形成されたプラス側接触端子３８ａを介して、二次電池ユニット２７のプラス端子と接続される。また、表示制御部３６のマイナス電位は、後述する板ばね４０のマイナス側接触端子４１を介して二次電池ユニット２７のマイナス端子と接続される。
【００２５】
また電子時計１００は、外装ケース８０の内側に、光発電を行うソーラーパネル８７を備える。ソーラーパネル８７は、光エネルギーを電気エネルギー（電力）に変換する複数のソーラーセル（光発電素子）を直列接続した円形の平板であり、文字板１１と駆動機構３０との間に配置され、指針軸１２の横断面に沿って延在している。またソーラーパネル８７は、その延在方向において、ダイヤルリング８３の内側に配置されている。
【００２６】
図３は、電子時計１００の回路構成を示すブロック図である。表示制御部３６は、プラス電源端子３６ｐ、マイナス電源端子３６ｎ、制御部７０、駆動回路７４及び水晶振動子７３を備える。プラス電源端子３６ｐには高電位電源が供給され、マイナス電源端子３６ｎには低電位電源が供給される。プラス電源端子３６ｐ及びマイナス電源端子３６ｎに供給される電力によって、表示制御部３６は動作する。なお、表示制御部３６にレギュレータを設け、プラス電源端子３６ｐ及びマイナス電源端子３６ｎに供給される電圧を安定化して、制御部７０や駆動回路７４に供給してもよい。
【００２７】
制御部７０は、例えばＩＣと水晶振動子７３で構成される。制御部７０は水晶振動子７３によって生成される基準クロック信号をもとに、駆動回路７４を介してすべての指針１３の駆動を制御する。
【００２８】
ソーラーパネル８７は、低電位を出力するマイナス電源端子８７ｎ（一方の電源端子）と高電位を出力するプラス電源端子８７ｐ（他方の電源端子）とを備え、発電した電力を二次電池ユニット２７に供給する。
【００２９】
二次電池ユニット２７は、ソーラーパネル８７のプラス電源端子８７ｐと電気的に接続されるプラス端子２７ｐと、ソーラーパネル８７のマイナス電源端子８７ｎと電気的に接続される充電制御端子２７ｃと、表示制御部３６のマイナス電源端子３６ｎと電気的に接続されるマイナス端子２７ｎとを備える。プラス端子２７ｐとマイナス端子２７ｎとの間には二次電池が設けられている。ソーラーパネル８７で発電された電力は、二次電池に充電される。屋内での使用や天候の影響によってソーラーパネル８７で発電できない場合、二次電池ユニット２７は表示制御部３６に対して電力を供給する。
【００３０】
表示制御部３６は、プラス電源端子３６ｐ、マイナス電源端子３６ｎ、制御部７０、駆動回路７４及び水晶振動子７３を備える。プラス電源端子３６ｐには高電位電源が供給され、マイナス電源端子３６ｎには低電位電源が供給される。プラス電源端子３６ｐ及びマイナス電源端子３６ｎに供給される電力によって、表示制御部３６は動作する。
【００３１】
図４は、二次電池ユニット２７又は一次電池を収納する電池収納部８６の詳細を示す断面図である。なお、同図は、図２に示す電子時計１００に対して上下を逆にして示してある。
外装ケース８０の内部に設けられた地板３１には、二次電池ユニット２７の電池収納部８６が形成されている。電池収納部８６には、地板３１に案内孔８２ａが形成されており、この案内孔８２ａに二次電池ユニット２７の導通ばね２５が挿入される。これにより、二次電池ユニット２７の位置決めがなされ、誤装着が防止される。また、案内孔８２ａに対応する位置にソーラーパネル８７の接触部８８が形成されている。接触部８８は、ソーラーパネル８７のマイナス電源端子８７ｎ（図示略）と電気的に接続されており、導電材料によって構成される。
【００３２】
また、地板３１には、マイナス側接触端子４１を備えた板ばね４０が設けられている。この板ばね４０は、表示制御部３６のマイナス電源端子３６ｎと電気的に接続されている。マイナス側接触端子４１及び板ばね４０は、導電材料で構成されている。なお、この例では、表示制御部３６のマイナス電源端子３６ｎは板ばね４０と電気的に接続されていて、図４に示す矢印の方向に付勢されている。したがって、厚さが相違する二次電池ユニット２７と一次電池とのいずれを電池収納部８６に収納しても、表示制御部３６のマイナス電源端子３６ｎと電気的に接続することが可能となる。電池収納部８６において、二次電池ユニット２７や一次電池は、地板３１、輪列受３２、プラス端子３８、及び板ばね４０によって保持される。
なお、接触部８８は、一次電池を電池収納部８６に収納した状態では、一次電池と非接触となり、二次電池ユニット２７を電池収納部８６に収納した状態では、二次電池ユニット２７の導通ばね２５と接触する位置に設けられている。
【００３３】
図５に、二次電池ユニット２７を収納した電池収納部８６の断面図を示す。二次電池ユニット２７は、基板２６と、この基板２６に接続された導通ばね２５、逆流防止ダイオード２８、およびマイナス端子２７ｎとを備えている。導通ばね２５とマイナス端子２７ｎとは導電性の材料で構成されている。
【００３４】
二次電池ユニット２７を電池収納部８６に収納すると、板ばね４０のマイナス側接触端子４１と、二次電池ユニット２７のマイナス端子２７ｎとが接触する。これにより、二次電池ユニット２７のマイナス端子２７ｎと表示制御部３６のマイナス電源端子３６ｎとが導通する。また、導通ばね２５が接触部８８と接触する。これにより、ソーラーパネル８７のマイナス電源端子８７ｎと二次電池ユニット２７の充電制御端子２７ｃとが導通する。
【００３５】
また、プラス端子３８には、表示制御部３６のプラス電位の電源配線と電気接続されている(図示略)。二次電池ユニット２７を電池収納部８６に収納すると、プラス端子３８のプラス側接触端子３８ａと、二次電池ユニット２７のプラス端子（二次電池２７ａのプラス電極）とが接触するように構成されている。
【００３６】
図６は、電池収納部８６に二次電池ユニット２７を収納した場合の、板ばね４０と、逆流防止ダイオード２８と、導通ばね２５の接触状態をしめす模式的な斜視図である。図６に示すように、逆流防止ダイオード２８は、その一方の端子（カソード）が導通ばね２５を介してソーラーパネル８７に接続されるとともに、その他方の端子（アノード）が板ばね４０を介して表示制御部３６のマイナス電源端子３６ｎと接続されるようになっている。
【００３７】
図７は、電池収納部８６に二次電池ユニット２７を収納した場合の回路図である。接触点Ｘは、地板３１のプラス側接触端子３８ａと二次電池ユニット２７との接触点である。また、接触点Ｙは、板ばね４０のマイナス側接触端子４１と二次電池ユニット２７のマイナス端子２７ｎとの接触点である。さらに、接触点Ｚは、導通ばね２５とソーラーパネル８７の接触部８８との接触点である。
【００３８】
図７に示すように、二次電池ユニット２７の二次電池２７ａのプラス電極は、接触点Ｘを介して、表示制御部３６のプラス電源端子３６ｐと、ソーラーパネル８７のプラス電源端子８７ｐに接続される。また、二次電池２７ａのマイナス電極は、接触点Ｙを介して、表示制御部３６のマイナス電源端子３６ｎに電気的に接続される。さらには、二次電池２７ａのマイナス電極は、逆流防止ダイオード２８および導通ばね２５ならびに接触点Ｚを介して、ソーラーパネル８７のマイナス電源端子８７ｎに接続される。
【００３９】
従って、二次電池ユニット２７からソーラーパネル８７への電流の逆流を防止しつつ、ソーラーパネル８７による二次電池ユニット２７の充電が行われる。また、二次電池ユニット２７から表示制御部３６へ電力の供給が行われる。
なお、本実施形態では、ソーラーパネル８７の最大出力電圧は、二次電池ユニット２７の耐圧を超えないように設定されている。ここで、最大出力電圧をＶmax、二次電池２７ａの耐圧をＶｘ、逆流防止ダイオード２８の降下電圧をＶｄとすれば、Ｖmax＜Ｖｘ＋Ｖｄとなる。また、Ｖmax＜Ｖｘとしてもよい。例えば、ソーラーパネル８７として、３セルのアモルファスシリコン太陽電池を用いて最大出力電圧を２．４Ｖとし、二次電池２７ａとして、充電限界が２．６Ｖ以上のものを用いればよい。
【００４０】
図８は、電池収納部８６に一次電池５０を収納した状態を示す断面図である。図８に示すように、一次電池５０は、二次電池ユニット２７と同径である。また、一次電池５０には、導通ばねおよび逆流防止ダイオードが設けられていない。さらに、一次電池５０の厚さは二次電池ユニット２７の厚さよりも大きい。
【００４１】
電池収納部８６に一次電池５０を収納すると、地板３１のテーパー部と、一次電池５０とが接触することにより、一次電池５０を保持するようになっている。このように一次電池５０が保持された状態では、板ばね４０のマイナス側接触端子４１と、一次電池５０のマイナス電極が接触する。またプラス端子３８のプラス側接触端子３８ａと、一次電池５０のプラス電極とが接触する。
【００４２】
図９は、電池収納部８６に一次電池５０を収納した場合の回路図である。図９においては、接触点Ｘが、プラス端子３８のプラス側接触端子３８ａと一次電池５０のプラス端子との接触点である。また、接触点Ｙが、板ばね４０のマイナス側接触端子４１と一次電池５０のマイナス端子との接触点である。
一次電池５０のプラス端子は、接触点Ｘを介して、表示制御部３６のプラス電源端子３６ｐに電気的に接続される。また、一次電池５０のマイナス電極は、接触点Ｙを介して、表示制御部３６のマイナス電源端子３６ｎに電気的に接続される。
しかしながら、一次電池５０には、導通ばね２５が設けられていないので、一次電池５０とソーラーパネル８７とは非接続となる。従って、ソーラーパネル８７から一次電池５０へ充電電流が流れることがなく、一次電池５０が破壊するといった不具合を防止することができる。
このように、電池収納部８６に一次電池５０が収納された場合には、一次電池５０から表示制御部３６へ電力が供給されることになる。
【００４３】
以上のように、本実施形態によれば、二次電池２７ａと、逆流防止ダイオード２８を実装した基板２６とを一体化した二次電池ユニット２７を採用したことにより、また、二次電池ユニット２７に導通ばね２５を備えてソーラーパネル８７と電気的に接続することにより、電池を除くムーブメントのすべての部品を、一次電池式電子時計と、ソーラーパネル式電子時計との間で共通化することができる。その結果、大幅なコストの削減を実現することができる。
【００４４】
図１０に一次電池式電子時計の断面図を示す。同図に示す一次電池式電子時計２００は、そこに用いられる全ての部品が、図２に示すソーラーパネル式電子時計１００の部品と共通化されている。また、一次電池式電子時計２００において、一次電池５０の替わりに二次電池ユニット２７を収納しても、導通ばね２５は、非導電性の文字板１１に接触するだけであるので、二次電池２７ａが充電されていれば、一次電池式電子時計２００を動作させることができる。
【００４５】
また、本実施形態の時計のムーブメントは、一次電池５０を組み込んだ場合にはアナログ時計として機能し、二次電池ユニット２７を組み込んだ場合にはソーラーパネル式電子時計として機能するので、汎用性の非常に高いムーブメントとなり、生産効率を大幅に向上させることができる。特に、二次電池が故障し、交換が必要だがすぐに手に入れることができないような場合に、二次電池ユニット２７の替わりに一次電池５０を収納すれば、ソーラーパネル式電子時計１００を確実に動作させることが可能となる。
【符号の説明】
【００４６】
１００…電子時計、２５…導通ばね、２６…基板、２７…二次電池ユニット、２７ａ…二次電池、２８…逆流防止ダイオード、３１…地板、３８…プラス端子、３８ａ…プラス側接触端子、４０…板ばね、５０…一次電池、１２…指針軸、１３（１３ａ，１３ｂ，１３ｃ）…指針、３０…駆動機構、８０…外装ケース、８４…カバーガラス、８５…裏蓋、８６…電池収納部、８７…ソーラーパネル。
【図１】
2015206805.tif 000003
【図２】
2015206805.tif 000004
【図３】
2015206805.tif 000005
【図４】
2015206805.tif 000006
【図５】
2015206805.tif 000007
【図６】
2015206805.tif 000008
【図７】
2015206805.tif 000009
【図８】
2015206805.tif 000010
【図９】
2015206805.tif 000011
【図１０】
2015206805.tif 000012
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
一次電池または充電可能な二次電池と、ソーラーパネルから前記二次電池への充電を制御する充電制御部と前記二次電池とを有する二次電池ユニットとが、交換可能に収納される電池収納部を備え、
前記一次電池または充電可能な二次電池もしくは前記二次電池ユニットにおける前記二次電池の電極端子との接触部と、前記二次電池ユニットの前記充電制御部との接触部とが異なる位置に設けられている、
ことを特徴とする時計ムーブメント。
【請求項２】
前記充電制御部は、前記ソーラーパネルへの電流の逆流を防止する逆流防止ダイオードと、前記ソーラーパネルと前記二次電池とを電気的に接続する導通ばねによりなる、
ことを特徴とする請求項１に記載の時計ムーブメント。
【請求項３】
前記ソーラーパネルを備え、
前記ソーラーパネルの最大出力電圧は、前記二次電池ユニットにおける前記二次電池の耐圧を超えないように設定されている、
ことを特徴とする請求項１又は２記載の時計ムーブメント。
【請求項４】
前記二次電池の耐圧と前記逆流防止ダイオードの降下電圧との和が、前記ソーラーパネルの最大出力電圧以上である、
ことを特徴とする請求項３に記載の時計ムーブメント。
【請求項５】
請求項３または請求項４に記載の時計ムーブメントと、
前記ソーラーパネルを収納する外装ケースと、
前記二次電池ユニットと、
を備える、
ことを特徴とする時計。
【請求項６】
請求項３または請求項４に記載の時計ムーブメントと、
前記ソーラーパネルを収納する外装ケースと、
前記一次電池と、
を備える、
ことを特徴とする時計。
【請求項７】
請求項１または請求項２に記載の時計ムーブメントと、
外装ケースと、
前記一次電池と、
を備える、
ことを特徴とする時計。
【請求項８】
請求項１または請求項２に記載の時計ムーブメントと、
外装ケースと、
前記二次電池または前記二次電池ユニットと、
を備える、
ことを特徴とする時計。
【手続補正３】
【補正対象書類名】明細書
【補正対象項目名】０００１
【補正方法】変更
【補正の内容】
【０００１】
本発明は、時計ムーブメントおよび時計に関する。
【手続補正４】
【補正対象書類名】明細書
【補正対象項目名】０００６
【補正方法】変更
【補正の内容】
【０００６】
以上の課題を解決するため、本発明に係る時計ムーブメントは、一次電池または充電可能な二次電池と、ソーラーパネルから前記二次電池への充電を制御する充電制御部と前記二次電池とを有する二次電池ユニットとが、交換可能に収納される電池収納部を備え、前記一次電池または充電可能な二次電池もしくは前記二次電池ユニットにおける前記二次電池の電極端子との接触部と、前記二次電池ユニットの前記充電制御部との接触部とが異なる位置に設けられている、ことを特徴とする。
【手続補正５】
【補正対象書類名】明細書
【補正対象項目名】０００７
【補正方法】変更
【補正の内容】
【０００７】
この時計ムーブメントでは、電池収納部に二次電池ユニットを収納すると、二次電池ユニットの電極端子であるプラス端子と接触部とが接触し、プラス端子と表示制御部のプラス電源端子とが導通する。また、二次電池ユニットの電極端子であるマイナス端子と接触部とが接触し、マイナス端子と表示制御部のマイナス電源端子とが導通する。さらに、前記二次電池ユニットの充電制御部と接触部とが接触する。
一方、電池収納部に一次電池または二次電池を収納すると、一次電池または二次電池の電極端子であるプラス端子と接触部とが接触し、プラス端子と表示制御部のプラス電源端子とが導通する。また、一次電池または二次電池の電極端子であるマイナス端子と接触部とが接触し、マイナス端子と表示制御部のマイナス電源端子とが導通する。しかし、充電制御部との接触部は、電極端子との接触部とは異なる位置に設けられており、一次電池または二次電池を収納しても非接触となる位置に配置されるので、ソーラーパネルと一次電池とが電気的に分離される。
以上より、本発明によれば、地板などのムーブメントのベース部品を、一般的な一次電池式電子時計とソーラーパネル式電子時計の間で共通化することができ大幅なコストダウンが実現される。また、汎用性の高い地板などのムーブメントのベース部品となり、生産効率が向上する。
【手続補正６】
【補正対象書類名】明細書
【補正対象項目名】０００８
【補正方法】変更
【補正の内容】
【０００８】
前記充電制御部は、前記ソーラーパネルへの電流の逆流を防止する逆流防止ダイオードと、前記ソーラーパネルと前記二次電池とを電気的に接続する導通ばねによりなることが好ましい。この場合には、二次電池ユニットからソーラーパネルへの電流の逆流を防止しつつ、ソーラーパネルによる二次電池ユニットの充電が行われる。
【手続補正７】
【補正対象書類名】明細書
【補正対象項目名】０００９
【補正方法】変更
【補正の内容】
【０００９】
また、上述した時計ムーブメントにおいて、前記ソーラーパネルを備え、前記ソーラーパネルの最大出力電圧は、前記二次電池ユニットにおける前記二次電池の耐圧を超えないように設定されていることが好ましい。この場合には、二次電池ユニットが破壊されることが防止される。
【手続補正８】
【補正対象書類名】明細書
【補正対象項目名】００１０
【補正方法】変更
【補正の内容】
【００１０】
また、上述した時計ムーブメントにおいて、前記二次電池の耐圧と前記逆流防止ダイオードの降下電圧との和が、前記ソーラーパネルの最大出力電圧以上であることが好ましい。この場合には、二次電池ユニットが破壊されることが防止される。
【手続補正９】
【補正対象書類名】明細書
【補正対象項目名】００１１
【補正方法】変更
【補正の内容】
【００１１】
次に、本発明に係る時計は、上述したソーラーパネルを備える時計ムーブメントと、前記ソーラーパネルを収納する外装ケースと、前記二次電池ユニットと、を備えることを特徴とする。
この発明によれば、二次電池ユニットに充電制御部を取り込んであるので、ソーラーパネルと電気的に接続される接触部と充電制御部とを接触させて、ソーラーパネルで発電された電力を、ソーラーパネルへの電流の逆流を防止しつつ、二次電池ユニットの二次電池に蓄電することができる。
【手続補正１０】
【補正対象書類名】明細書
【補正対象項目名】００１２
【補正方法】変更
【補正の内容】
【００１２】
次に、本発明に係る時計は、上述したソーラーパネルを備える時計ムーブメントと、前記ソーラーパネルを収納する外装ケースと、前記一次電池と、を備えることを特徴とする。
この発明によれば、二次電池ユニットの充電制御部との接触部は、一次電池の電極端子との接触部とは異なる位置に設けられており、一次電池を収納しても非接触となる位置に配置されるので、ソーラーパネルと一次電池とが電気的に分離される。
【手続補正１１】
【補正対象書類名】明細書
【補正対象項目名】００１３
【補正方法】変更
【補正の内容】
【００１３】
次に、本発明に係る時計は、上述した時計ムーブメントと、外装ケースと、前記一次電池と、を備えることを特徴とする。
この発明によれば、一次電池の電極端子であるプラス端子と接触部とが接触し、プラス端子と表示制御部のプラス電源端子とが導通する。また、一次電池の電極端子であるマイナス端子と接触部とが接触し、マイナス端子と表示制御部のマイナス電源端子とが導通する。したがって、一次電池により時計が駆動されることになる。
【手続補正１２】
【補正対象書類名】明細書
【補正対象項目名】００１４
【補正方法】変更
【補正の内容】
【００１４】
次に、本発明に係る時計は、上述した時計ムーブメントと、外装ケースと、前記二次電池または前記二次電池ユニットと、を備える、ことを特徴とする。
この発明によれば、二次電池または前記二次電池ユニットの二次電池の電極端子であるプラス端子と接触部とが接触し、プラス端子と表示制御部のプラス電源端子とが導通する。また、二次電池または前記二次電池ユニットの二次電池の電極端子であるマイナス端子と接触部とが接触し、マイナス端子と表示制御部のマイナス電源端子とが導通する。したがって、二次電池または前記二次電池ユニットにより時計が駆動されることになる。
【手続補正１３】
【補正対象書類名】明細書
【補正対象項目名】００３０
【補正方法】削除
【補正の内容】